(57)【要約】【課題】  芝等の植物の発芽・育苗を効率よく行うことを可能にすると共に、その育成期間を短縮できるようにし、また育苗した苗成育マットを、流通のための搬送・植栽が容易に行える形態に形成できるようにした育苗マット及びそれによる育苗方法を提供する。【解決手段】  複数層の不織布１１によって形成したマット本体２の表面に、育苗すべき種子２１及び保水性の粒状軽量骨材１３を水溶性の糊材で貼着し、該積層された不織布１１間に肥料２３を保持させることにより育苗マットを構成し、この育苗マット１を植物育成用ハウス内に敷設し、該育苗マット１に潅水してこの育苗マットの植物を発芽・育成させる。【選択図】        図１
2007053920.tif 000002
【特許請求の範囲】
【請求項１】
不織布によって形成したマット本体の表面に、育苗すべき種子及び保水性の粒状軽量骨材を水溶性の糊材で貼着した、
ことを特徴とする育苗マット。
【請求項２】
上記マット本体における不織布間に液肥を保持させた、
ことを特徴とする請求項１に記載の育苗マット。
【請求項３】
複数層の不織布の積層によって形成したマット本体における該積層された不織布間に肥料を保持させた、
ことを特徴とする請求項１に記載の育苗マット。
【請求項４】
上記保水性の粒状軽量骨材が、バーミキュライトである、
ことを特徴とする請求項１〜３のいずれかに記載の育苗マット。
【請求項５】
上記種子が、芝またはこれに類似する植物の種子である、
ことを特徴とする請求項１〜４に記載の育苗マット。
【請求項６】
請求項１〜５のいずれかに記載の育苗マットを用いて育苗する方法であって、
植物育成用ハウス内に敷設し、該育苗マットに潅水してこの育苗マットの種子を発芽させ、育苗により苗成育マットとする、
ことを特徴とする上記育苗マットを用いる育苗方法。
【請求項７】
請求項６に記載の育苗方法によって得られた苗成育マットを、必要に応じて所要形状に裁断し、それをロール状に捲回して植栽域に搬送し、上記苗成育マットをその植栽域に敷設、固定することにより育成させる、
ことを特徴とする育苗マットを用いた育苗・植栽方法。
【発明の詳細な説明】
【技術分野】
【０００１】
本発明は、芝等の植物の発芽・育苗を効率よく行うための育苗マット及びそれを用いる育苗・植栽方法に関するものであり、更に詳しくは、上記発芽・育苗を効率よく行えるばかりでなく、流通のための搬送・植栽が容易に行える形態に形成できるようにした育苗マット、及びそれを用いる育苗・植栽方法に関するものである。
【背景技術】
【０００２】
従来から、芝などの植物を成育させる場合に、紙状のシートに芝の種子を糊で均一に貼り付けて植栽面に敷いた後、ネットなど適宜の保持手段で移動しないように保持させ、自然発芽させる方法が採られている。
上記方法は、植栽現場における種蒔き作業の労力の軽減に有効であるが、発芽・育苗が自然環境の中で行われるため、当該発芽・育苗が大きく天候に左右され、しかも、特に雑草の繁茂が激しい場所では、芝が雑草に負けて成育を妨げられることが少なくない。
【０００３】
一方、販売用芝を生産する圃場においては、芝の育成に精通した業者がそこに蒔いた種子を発芽・育成させ、適度に成長した段階で、芝が根付いている表土ごと、販売単位面積に切り取り、それを適宜枚数ごとに結束して出荷している。この場合、芝の育成管理は適切に行われるが、販売形態が水分を含む表土付きであるため、重量が重くて周辺を汚すことになり、また、圃場での育成はあくまでも自然環境の中であるため、栽培サイクルは年２回が限度であり、しかも、上述した表土付きであるため、雑草の混入を避けることが困難であり、また、病原菌や害虫が混入する可能性もある。
【発明の開示】
【発明が解決しようとする課題】
【０００４】
本発明は、上記問題を解決するためになされたものであり、その技術的課題は、芝等の植物の発芽・育苗を効率よく行うことを可能にすると共に、その育成期間を短縮できるようにした育苗マット及びそれを用いる育苗方法を提供することにある。
本発明の他の技術的課題は、種子の成育によって得られる苗成育マットを、流通のための搬送・植栽が容易に行える形態に形成できるようにした育苗マット及びそれを用いる育苗・植栽方法を提供することにある。
【０００５】
本発明の他の技術的課題は、雑草の混入、病原菌や害虫の混入の虞れが少ない育苗マット及びそれを用いる育苗方法を提供することにある。
本発明の更に他の技術的課題は、植栽後における成育が良好で、雑草の生育を抑制できるようにした育苗マット及びそれを用いる育苗・植栽方法を提供することにある。
【課題を解決するための手段】
【０００６】
上記課題を解決するための本発明の育苗マットは、基本的には、不織布によって形成したマット本体の表面に、育苗すべき種子及び保水性の粒状軽量骨材を水溶性の糊材で貼着したことを特徴とするものである。
【０００７】
本発明の育苗マットの好ましい実施の態様においては、マット本体における単層または複数層の不織布間に液肥を保持させ、あるいは、二層またはそれ以上の複数層の不織布の積層によって形成した不織布間に肥料を保持させ、また、上記保水性の粒状軽量骨材として、バーミキュライトが用いられる。
上記液肥は、上記育苗マットを植物育成用ハウス内に敷設して育苗する際に、該育苗マットに潅水にするのと同時に、または灌水とは別に施しても良い。
上記種子としては、芝またはこれに類似する植物、具体的には平面的な広がりを持つように育成される植物の種子が適している。
【０００８】
一方、上記育苗マットを用いて育苗する本発明の育苗方法は、植物育成用ハウス内に敷設し、該育苗マットに潅水してこの育苗マットの種子を発芽・育苗させることを特徴とするものである。
また、上記育苗方法によって得られた育苗マットを必要に応じて所要形状に裁断し、それをロール状に捲回して植栽域に搬送し、上記育苗マットをその植栽域に敷設、固定することにより育成させる方法が、上記育苗マットを用いる育苗・植栽方法として有効である。
【発明の効果】
【０００９】
以上に詳述した本発明の育苗マットによれば、芝等の植物の発芽・育苗を植物育成用のハウス内で行うことができるので、効率よく育苗することが可能になると共に、その育成期間を短縮することができ、また、種子の成育によって得られる苗成育マットを、流通のための搬送・植栽が容易に行える形態に形成できるので、育苗後の取扱いが極めて容易になる。
また、本発明によれば、雑草の混入、病原菌や害虫の混入の虞れが少ない育苗マットを得ることができ、更に、植栽後における成育が良好で、雑草の生育を抑制できる育苗マットを得ることができる。
【発明を実施するための最良の形態】
【００１０】
以下に、本発明を図面に示す実施例に基づいて詳細に説明する。
図１に示すように、本発明に係る育苗マット１のマット本体２は、２枚の不織布１１，１１を積層してなり、そのマット本体２の表面に、育苗すべき種子２１及び保水性の粒状軽量骨材１３を水溶性の糊材で貼着している。上記種子２１及び粒状軽量骨材１３の貼着に際しては、マット本体２の表面に水溶性の糊材をスプレーして糊層１５を形成し、この糊層１５上に種子２１を全体的に万遍なく分布するように蒔くと共に、保水性の粒状軽量骨材１３をその上から撒いて、上記糊層１５により種子２１と粒状軽量骨材１３が混在する状態に接着させる。
【００１１】
上記マット本体２は、ここでは２枚の不織布１１，１１を積層し、該積層された不織布１１，１１間に肥料２３を保持させているが、２枚の不織布に限るものではなく、複数層の不織布１１の積層によって形成することができ、その場合、それらの不織布の任意積層面に肥料２３を介在させることができる。これにより、発芽した種子から張り出した根に日々の潅水で溶け出す肥料分を吸収させることができる。
また、マット本体２における単層または複数層の不織布１１間に液肥を保持させることができる。上記液肥は、上記育苗マットを植物育成用ハウス内に敷設して育苗する際に、該育苗マットに潅水にするのと同時に、または灌水とは別に施しても良い。
【００１２】
上記不織布１１は、化学繊維または天然繊維、あるいはそれらの混合繊維の交点を接着剤で接着して形成された市販のものを用いることができ、それらは排水性と保水性とを兼ね備えているので、根に吸収させる水分を保持させることができ、しかも、その排水性により根腐れを抑制するばかりでなく、高い空隙率により根回りに必要な酸素を供給することができるので、根の活性が保たれる。
なお、上記不織布１１としては、育苗マット１として少なくとも数年のオーダーでその形態を保持し、その後経時的に分解して土に帰するものが望まれる。
【００１３】
また、上記保水性の粒状軽量骨材１３としては、多孔性で軽量かつ保水性を有するバーミキュライトが最適であり、これは、種子２１の発芽に際して適切な保水及び保温環境を作って良好な発芽を促進するために有効である。なお、この粒状軽量骨材１３としては、バーミキュライトに限らず、ゼオライトなどの他の同種の材料を用いることもできる。
上記種子２１及び粒状軽量骨材１３をマット本体２上に固定する糊材としては、澱粉糊や、ポリビニルアルコールのような動植物に無害なものを利用するのが望ましく、それらは、種子蒔き時に種子２１を容易に付着させ、かつ、種子２１の発芽までの期間仮止めできる濃度の水溶液に調整して、マット本体２上にスプレーすることになる。
更に、上記種子２１としては、芝またはこれに類似する植物、具体的には、セダム類等で、平面的な広がりを持つように育成される植物の種子が適している。
【００１４】
次に、上記育苗マット１を用いて芝を発芽・育成する方法について説明する。
上記育苗マット１による育苗に際しては、先ず、植物育成用ハウス内において育苗マット１を敷設する架台を設置し、例えば、出荷単位面積に形成した育苗マット１を多孔底面のトレーに収容してその架台上に載置し、この育苗マット１に定期的に潅水する。
なお、上記育苗マット１は、出荷単位面積に限らず、例えば、その整数倍その他任意のにしておいて、出荷時に、その植栽域の面積に適した大きさに裁断することもできる。
【００１５】
上記潅水を行うと、種子２１が湿潤すると共に、保水性の粒状軽量骨材１３にも保水され、過剰な水はマット本体２に達して、不織布１１の繊維間に一部保水され、また、積層面に介在する肥料２３を一部溶解して、液化した肥料が不織布１１の繊維間に保持され、過剰な水はマット本体２を通過して外部に排出される。
そして、この灌水及びハウス内での育成管理により、上記育苗マット１の種子２１を発芽させ、一定期間の育苗により図２に示すような苗成育マット１Ａとすることができる。
【００１６】
特に、ハウス内では、発芽及び育苗に適した環境にコントロールできるため、上記種子２１は、保水性の粒状軽量骨材１３から与えられる水分により早期に発芽、発根して、その根２４がマット本体２中に張り出すと共に苗２５が育ち、また、積層面において灌水により徐々に溶け出す肥料を吸収して更に育成し、圃場で育苗する場合に比して短期間に、より効率的に成長させることができる。更に、発芽した苗２５は、マット本体２の表面の保水性ある粒状軽量骨材１３により適度な水分が付与され、また、根は空隙率の高い不織布１１の繊維間に進入して、不織布の排水性と保水性により与えられる良好な環境で成長することになる。
【００１７】
ハウス内でこのように栽培される芝は、土を使用しないので、土中の細菌による病気、害虫による食害を受けることがほとんどない。また、温度、潅水を自由にコントロールできるので、成長度をそろえた芝を、短期間で育成することができ、効率良い出荷を計画的に行うことができる。従って、自然環境の圃場での栽培に較べて出荷サイクルが短く、年間の出荷量を増すことができる。
【００１８】
上述したところによって得られた苗成育マット１Ａは、それが出荷単位面積に形成されているのならそのまま、また、必要があれば所要形状に裁断したうえで、図３に示すようにロール状に捲回して植栽域に搬送し、上記苗成育マット１Ａをその植栽域にそのまま敷設、固定することにより、更に育成させることができる。この場合、苗育成マット１Ａの下面から土中に根張りし、不織布１１及び軽量骨材１３の存在により容易に活着させることができる。
また、上記苗成育マット１Ａを用いて植栽をした場合、上記不織布１１によって植栽域の土の表面を覆うので、雑草の発芽を抑制でき、植栽後の管理も極めて容易に行うことができる。
【００１９】
この育苗マット１で成育した苗育成マット１Ａは、土を用いていないので、搬送に際して軽量であり、上述したようにロール状に巻いたものは例えば段ボール等に入れて出荷することもでき、従来の芝が根付いている表土ごと販売単位面積に切り取って適宜枚数を結束、出荷する場合に比して、汚れを気にする必要がない。
【００２０】
本発明は上述の実施例に限らず、特許請求の範囲を逸脱しない範囲において、種々の構成を取ることができる。
【図面の簡単な説明】
【００２１】
【図１】本発明に係る育苗マットの種子発芽前の状態を示す断面図である。
【図２】上記育苗マットにおける育苗状態を示す断面図である。
【図３】苗育成マットの出荷形態の一例を説明するための斜視図である。
【符号の説明】
【００２２】
１      育苗マット
１Ａ    苗育成マット
２      マット本体
１１    不織布  
１３    粒状軽量骨材
２１    種子
２３    肥料
【図１】
2007053920.tif 000003
【図２】
2007053920.tif 000004
【図３】
2007053920.tif 000005